(57)【特許請求の範囲】
【請求項１】
草や落ち葉等のゴミを収容する屋外用ゴミ収容袋の口部を開口状態に維持する開口維持具であって、
該屋外用ゴミ収容袋の口部周縁に取り付けられて該屋外用ゴミ収容袋の口部を開口状態に維持する、少なくとも一部が中空である環状体と、
該屋外用ゴミ収容袋の口部周縁を該環状体に係止するための留め具とを備え、
該環状体には、中空に形成されている部位の周側面に少なくとも一つの防虫剤を充填するための孔が設けられており、該開口維持具の使用時に、該留め具によって該孔を塞ぐ程度に応じて、該防虫剤の揮発量を調節できるようにしたことを特徴とする屋外用ゴミ収容袋の開口維持具。
【発明の詳細な説明】
【技術分野】
【０００１】
本発明は、草や落ち葉等のゴミを収容する屋外用ゴミ収容袋の口部を開口状態に維持するための開口維持具に関する。
【背景技術】
【０００２】
従来、ゴミ収容袋の口部を開口状態に維持するためのものとして、該口部を２本の支持棒にて固定する開口維持具が用いられている。
【０００３】
このような開口維持具の構造として、特許文献１には、ゴミ収容袋の口部左右中央部分に２本の支持棒を巻き付け、着脱自在の半円形状からなる止め具により該口部と該支持棒とを固定することで、ゴミ収容袋の口部を開口状態に維持することができるようにしたものが記載されている。
【先行技術文献】
【特許文献】
【０００４】
【特許文献１】特開２００６−８３７３号公報
【発明の概要】
【発明が解決しようとする課題】
【０００５】
庭先等の屋外での清掃作業（以下、「草取り等作業」という。）の際、作業者は、草や落ち葉等のゴミを収容するため、しゃがみこんだ状態でゴミ収容袋を地面に引きずりながら移動することが多い。このとき、作業者は、ゴミ収容袋の口部周縁の下側部分（以下、「下側口部周縁部」という。）を保持しながらゴミ収容袋を前方に引くため、ゴミ収容袋の口部は塞がった状態となる。具体的には、ゴミ収容袋の口部は、作業者の進行方向へ向けて、斜め上方向を向くことにはなるものの、下側口部周縁部に対向する位置にある口部周縁部分（以下、「上側口部周縁部」という。）は、重力の関係により、下側口部周縁部へ向けて垂れ下がった状態にあることから、作業者が、この状態のまま、下側口部周縁部を保持しながらゴミ収容袋を前方に引けば、下側口部周縁部のみが上方に持ち上げられる格好となってしまうため、ゴミ収容袋の口部は、下側口部周縁部により蓋をされた状態、すなわち閉塞された状態となってしまうのである（このとき上側口部周縁部は、下側口部周縁部へ向けて垂れ下がった状態のまま）。
【０００６】
このため、ゴミ収容袋の口部は閉塞状態となり、該口部の開口状態を維持することができないことから、収集した草や落ち葉等のゴミをゴミ収容袋に容易に投入することができない。また、数日に分けて、庭先等に生えている草を収集し、これをゴミ収容袋に収容する場合には、ゴミ収容袋の中に収容した草を軽量化すべく、初日に収容した草を次回の草取り等作業を行うまで、ゴミ収容袋の中で乾燥させる必要がある。しかし、ゴミ収容袋の口部が閉じられた状態では、収容した草を十分にゴミ収容袋の中で乾燥させることができない（太陽光線の熱で温められた草が水蒸気を発散し、これが水滴となってゴミ収容袋の内側に付着することから、ゴミ収容袋の中で草が腐食してしまう）。
【０００７】
また、ゴミ収容袋の内部に草や落ち葉等のゴミを収容した際、作業者がしゃがみこんだ状態で、ゴミ収容袋を地面に引きずりながら左右に方向転換した場合、ゴミ収容袋には、作業者が保持する下側口部周縁部を支点に回転力が加わることから、ゴミ収容袋の胴体部分には捻れ現象が生じる。このため、ゴミ収容袋は、その口部を開口状態としていても、該胴体部付近が閉塞状態となってしまうことから、迅速に収集した草や落ち葉等のゴミをゴミ収容袋に収容することができない。
【０００８】
この該胴体部分の捻れを解消するためには、両手でゴミ収容袋の口部を保持しながら、ゴミ収容袋を持ち上げ、該胴体部分の捻れ方向と同方向にゴミ収容袋を回転させる必要がある。このため、この作業を行うために作業者は、その都度、しゃがみこんだ状態から立ち上がらなければならず、また、ゴミ収容袋に草や落ち葉等のゴミが収容され、ゴミ収容袋の重量が増している場合には、特に高齢者や子供がこの作業を行うには大変な労力を要することになる。
【０００９】
さらに、草取り等作業では、作業者が蚊等の害虫に刺される危険が高く、特に夏や秋の夕暮れ時での草取り等作業の場合、作業者が多くの蚊に刺され、大変なかゆみに悩まされる。
【００１０】
そこで、近年では、草取り等作業の際、上記問題点を考慮した、屋外用のゴミ収容袋の開口維持具が待望されている。
【００１１】
しかし、特許文献１に記載されているゴミ袋等開口部保持具は、ゴミ収容袋の口部左右中央部分に２本の支持棒を巻き付け、着脱自在の半円形状からなる止め具により該口部と該支持棒とを固定することで、ゴミ収容袋の口部を開口状態に維持するものであり、ゴミ収容袋の口部周縁全てに該支持棒を取り付けるものではない。
【００１２】
そのため、特許文献１に記載されているゴミ袋等開口部保持具では、作業者がしゃがみこんだ状態で一方の支持棒を保持しながらゴミ収容袋を前方に引いた場合、ゴミ収容袋の口部は、作業者の進行方向へ向けて、斜め上方向を向くことにはなるものの、他方の支持棒は一方の支持棒へ向けて垂れ下がった状態にあることから、作業者が、この状態のまま、一方の支持棒を保持しながらゴミ収容袋を前方に引けば、一方の支持棒のみが上方に持ち上げられる格好となってしまうため、ゴミ収容袋の口部は、一方の支持棒により蓋をされた状態、すなわち閉塞された状態となってしまう（このとき他方の支持棒は、一方の支持棒へ向けて垂れ下がった状態のまま）。したがって、特許文献１に記載されているゴミ袋等開口部保持具では、ゴミ収容袋の口部を開口状態に維持することができず、収集した草や落ち葉等のゴミをゴミ収容袋に容易に投入することができない。
【００１３】
また、特許文献１に記載されているゴミ袋等開口部保持具は、静止状態ではゴミ収容袋の口部を開口状態に維持できるものの、これに何らかの力が加われば、その開口状態を維持することができなくなる。具体的には、例えば、初日の草取り等作業で収集した草をゴミ収容袋の中で乾燥させるべく、ゴミ収容袋の口部を開口状態に維持したまま、屋外にゴミ収容袋を置いていた場合、風の強い日には、風力で他方の支持棒が一方の支持棒へ向けて移動してしまうことがある。すなわち、この場合には、ゴミ収容袋の口部は閉じられてしまうことから、特許文献１に記載されているゴミ袋等開口部保持具では、収集した草をゴミ収容袋の中で十分に乾燥させることができなくなる（ゴミ収容袋の中で草が腐食し、ゴミ収容袋の中に収容した草を軽量化することができない）。
【００１４】
さらに、ゴミ収容袋の胴体部分に捻れ現象が生じてしまった場合、特許文献１に記載されているゴミ袋等開口部保持具では、ゴミ収容袋の口部周縁全てに該支持棒が取り付けられているものではないことから、該捻れ現象を解消するために、ゴミ収容袋の口部周縁部分のみを保持し、該胴体部分の捻れ方向と同方向にゴミ収容袋を回転させることができない。すなわち、この場合に該捻れ現象を解消するためには、しゃがみこんだ状態から一度立ち上がり、両手でゴミ収容袋の口部を保持しながら、ゴミ収容袋を持ち上げ、該胴体部分の捻れ方向と同方向にゴミ収容袋を回転させなければならない。したがって、特許文献１に記載されているゴミ袋等開口部保持具では、簡易迅速にゴミ収容袋の胴体部分に生じた捻れ現象を解消することができない。
【００１５】
加えて、特許文献１に記載されているゴミ袋等開口部保持具の２本の支持棒は、中空に形成されているものではない。このため、特許文献１に記載されているゴミ袋等開口部保持具では、軽量化が図れず、上述の捻れ現象を解消すべく、両手でゴミ収容袋を持ち上げる際、大変な労力を要する。
【００１６】
そして、特許文献１に記載されているゴミ袋等開口部保持具には、作業者が蚊等の害虫に刺される危険性を回避するための手段は設けられていない。そのため、特許文献１に記載されているゴミ袋等開口部保持具では、草取り等作業の際、作業者を蚊等の害虫の脅威から守ることができない。
【００１７】
最後に、特許文献１に記載されているゴミ袋等開口部保持具には、ゴミ袋等の開口部の左右中央部と２本の支持棒とを固定するための半円形からなる止め具が記載されているところ、該止め具には、一方の下端縁部から他方の下端縁部にかけて、該止め具の長手方向全長を長辺とする湾曲した面が連設されている。このため、特許文献１に記載されているゴミ袋等開口部保持具では、該止め具が湾曲した面で覆われるよう成形されていることから、例えば、骨組状にて構成される止め具に比べて、止め具自体の軽量化を図ることができない。また、特許文献１に記載される止め具は、骨組状にて構成される止め具と比較して、それ自体の面積が大きいため、作業者が草取り等作業中に該止め具に接触する面積も大きい。このため、該止め具が金属からなる場合（特許文献１では止め具の材質は特定されていない）、特に夏場においては、気温の上昇から止め具には多くの熱が蓄えられることから、作業者が該止め具に接触することで、火傷を負う危険性は高まることになる。
【００１８】
そこで、本発明に係る屋外用ゴミ収容袋の開口維持具は、上記点に鑑みてなされたものであり、草取り等作業の際、作業者がしゃがみこんだ状態でゴミ収容袋を地面に引きずりながら移動した場合でも、ゴミ収容袋の口部を開口状態に維持し、ゴミ収容袋の胴体部分に生じた捻れを簡易迅速に解消し、作業者の負担軽減と作業能率を向上させるとともに、作業者を蚊等の害虫の脅威から守り、ゴミ収容袋に収容した草の腐食を防ぎ、ゴミ収容袋の中に収容した草を乾燥軽量化することを目的としてなされたものである。
【課題を解決するための手段】
【００１９】
請求項１の発明に係る屋外用ゴミ収容袋の開口維持具は、草や落ち葉等のゴミを収容する屋外用ゴミ収容袋の口部を開口状態に維持する開口維持具であって、該屋外用ゴミ収容袋の口部周縁に取り付けられて該屋外用ゴミ収容袋の口部を開口状態に維持する、少なくとも一部が中空である環状体と、該屋外用ゴミ収容袋の口部周縁を該環状体に係止するための留め具とを備え、該環状体には、中空に形成されている部位の周側面に少なくとも一つの防虫剤を充填するための孔が設けられており、該開口維持具の使用時に、該留め具によって該孔を塞ぐ程度に応じて、該防虫剤の揮発量を調節できるようにしたことを特徴とする。
【発明の効果】
【００２４】
請求項１に記載の発明では、環状体がゴミ収容袋の口部周縁に取り付けられ、留め具により係止されていることから、作業者がしゃがみこんだ状態でゴミ収容袋を地面に引きずりながら移動する場合でも、上側口部周縁部は、重力の関係によって、作業者が保持する下側口部周縁部へ向けて垂れ下がる格好とはならない（このとき、ゴミ収容袋の口部は作業者の進行方向へ向けて、斜め上方向を向いている）。したがって、本発明では、作業者がゴミ収容袋をしゃがみこんだ状態で地面に引きずりながら移動する場合でも、ゴミ収容袋の口部を開口状態に維持することができ、収集した草や落ち葉等のゴミをゴミ収容袋に容易に投入することができる。
【００２５】
また、本発明では、ゴミ収容袋に風力等の力が加えられた場合でも、ゴミ収容袋の口部が閉じられることはない。したがって、本発明は、草取り等作業において収集した草をゴミ収容袋の中で十分に乾燥させることができる（草の腐食を防止することができ、ゴミ収容袋の中に収容した草を軽量化することができる）。
【００２６】
さらに、本発明では、ゴミ収容袋の胴体部分に捻れ現象が生じてしまった場合、これを簡易迅速に解消させることができる。すなわち、本発明では、ゴミ収容袋の口部周縁に留め具により係止された環状体が取り付けられていることから、該環状体をハンドル操作のように該胴体部分の捻れ方向と同方向に回転させれば、該捻れ現象は解消されることになる（しゃがみこんだ状態からその都度立ち上がって、ゴミ収容袋を持ち上げ、該胴体部分の捻れを解消させる必要はなく、ゴミ収容袋を地面に接地させた状態で、該胴体部分の捻れ方向と同方向にゴミ収容袋の口部（該環状体）を回転させることができる）。
【００２７】
本発明では、該環状体の少なくとも一部が中空であることから、より軽量な屋外用ゴミ収容袋の開口維持具を提供することができる。これにより、作業者は、より少ない労力でゴミ収容袋をしゃがみこんだ状態で地面に引きずりながら移動できるとともに、上述のゴミ収容袋の胴体部分に生じた捻れ現象を簡易迅速に解消することができる。
【００２８】
本発明では、該環状体が中空に形成されている部位の周側面に少なくとも一つの孔が設けられていることから、該環状体の変形、破損を防止することができる。特に夏場等での炎天下の中で草取り等作業を行う場合又はゴミ収容袋の中に収容した草を乾燥させるべく、ゴミ収容袋を屋外に置いていた場合、中空に形成されている該環状体は、気温の上昇に伴い、内部の空気圧が上昇し、該環状体自体が変形または破損するおそれがある。しかし、本発明には、該孔が設けられていることから、上昇した該環状体内部の圧力を該孔を通じて外部に逃がすことができる。よって、本発明では、該環状体の変形、破損を防止することができる。
【００２９】
また、本発明に設けられる該孔は、防虫剤を充填するためのものであり、本発明では、該開口維持具の使用時に、該留め具によって該孔を塞ぐ程度に応じて、該防虫剤の揮発量を調節することができるものとなっている。このため、本発明では、草取り等作業の際に、防虫剤の揮発量を蚊等の害虫の発生状況に応じて調節することで、作業者を蚊等の害虫の脅威から適切に守ることができる。
【図面の簡単な説明】
【００３２】
【図１】本発明の実施例１に係る屋外用ゴミ収容袋の開口維持具の環状体の平面図である。
【図２】本発明の実施例１に係る屋外用ゴミ収容袋の開口維持具の環状体Ａ−Ａ線断面図である。
【図３】本発明の実施例１に係る屋外用ゴミ収容袋の開口維持具の環状体の側面図である。
【図４】本発明の実施例１に係る屋外用ゴミ収容袋の開口維持具の環状体Ｂ−Ｂ線断面図である。
【図５】本発明の実施例１に係る屋外用ゴミ収容袋の開口維持具の留め具の斜視図である。
【図６】本発明の実施例１に係る屋外用ゴミ収容袋の開口維持具の留め具に係る側枠を示す図である。
【図７】本発明の実施例１に係る屋外用ゴミ収容袋の開口維持具の留め具の平面図である。
【図８】本発明の実施例１に係る屋外用ゴミ収容袋の開口維持具の留め具Ｃ−Ｃ線断面図である。
【図９】本発明の実施例１に係る屋外用ゴミ収容袋の開口維持具の環状体をゴミ収容袋の口部周縁にセットした斜視図である。
【図１０】本発明の実施例１に係る屋外用ゴミ収容袋の開口維持具の環状体を留め具によりゴミ収容袋の口部周縁に係止した平面図である。
【図１１】本発明の実施例１に係る屋外用ゴミ収容袋の開口維持具がセットされたゴミ収容袋を作業者がしゃがみこんだ状態で地面に引きずりながら移動している状態を表す斜視図である。
【図１２】ゴミ収容袋の胴体部分に捻れ現象が生じている状態を表す斜視図である。
【図１３】作業者がゴミ収容袋の胴体部分に生じた捻れ現象を解消している状態を表す斜視図である。
【図１４】留め具の変形例を表す斜視図である。
【図１５】留め具の変形例を表す斜視図である。
【図１６】留め具の変形例を表す斜視図である。
【図１７】留め具の変形例を表す斜視図である。
【図１８】留め具の変形例を表す斜視図である。
【発明を実施するための形態】
【００３３】
以下、図面を用いて本発明の詳細を説明する。
【実施例１】
【００３４】
まず、図１乃至図８を用いて、本発明の実施例１に係る屋外用ゴミ収容袋の開口維持具１００の形態について説明する。
【００３５】
本実施例に係る屋外用ゴミ収容袋の開口維持具１００は、環状体２００及び留め具３００を備える。まず、環状体２００の形態について説明する。
【００３６】
図１は、本実施例に係る屋外用ゴミ収容袋の開口維持具１００の環状体２００の平面図であり、図２は、本実施例に係る屋外用ゴミ収容袋の開口維持具１００の環状体２００Ａ−Ａ線断面図である。また、図３は、本実施例に係る屋外用ゴミ収容袋の開口維持具１００の環状体２００の側面図であり、図４は、本実施例に係る屋外用ゴミ収容袋の開口維持具１００の環状体２００Ｂ−Ｂ線断面図である。
【００３７】
環状体２００の外径は、ゴミ収容袋４００の口部４０（図９）の外径よりも１ｃｍ程度短く形成する。例えば、容量４５リットルのゴミ収容袋（横６５ｃｍ×縦８０ｃｍ）の場合、口部の外径はおよそ４１ｃｍとなることから、このときの環状体２００の外径は概ね４０ｃｍとなる。
【００３８】
環状体２００は、断面視において円形となるよう形成する（図２）。このときの該円形の外径は概ね２ｃｍとする（結果、環状体２００の内径は概ね３６ｃｍとなる）。
【００３９】
また、図２及び図４に示すとおり、環状体２００は、その内部を中空とし、図１及び図４に示すとおり、環状体２００の外周面及び内周面には、それぞれ２つの孔１ａ〜１ｄ（計４個の孔）を設ける。孔１ａ〜１ｄの直径は概ね１ｃｍとする。環状体２００は、プラスチックにて形成する。
【００４０】
次に、留め具３００の形態について説明する。図５は、本実施例に係る屋外用ゴミ収容袋の開口維持具１００の留め具３００の斜視図であり、図６は、本実施例に係る屋外用ゴミ収容袋の開口維持具１００の留め具３００に係る側枠２ａを示す図である。また、図７は、本実施例に係る屋外用ゴミ収容袋の開口維持具１００の留め具３００の平面図であり、図８は、本実施例に係る屋外用ゴミ収容袋の開口維持具の留め具Ｃ−Ｃ線断面図である。
【００４１】
留め具３００は、一対の側枠２ａ、２ｂと支持部材３ａ〜３ｄを備える（図５）。まず、一対の側枠２ａ、２ｂの形態について説明する。
【００４２】
一対の側枠２ａ、２ｂは、側面視において略Ｃ字状とする。具体的には、一対の側枠２ａ、２ｂの曲率を環状体２００の断面視円形（図２）の曲率と一致するよう形成する（図６）。また、図６に示すように、側枠２ａの縦幅（点１Ａから点１Ｂの長さ）は概ね１．３ｃｍとし（環状体２００の断面視における円形の外径の約２／３）、側枠２ａの横幅（下端部４ａから下端部４ｂの長さ）は概ね１．７ｃｍとする（環状体２００の断面視における円形の外径よりやや小さくする。側枠２ｂも側枠２ａと同様に形成する）。一対の側枠２ａ、２ｂは、強度及び耐久性を考慮して、細い棒状のステンレスから形成するとよい。
【００４３】
次に、支持部材３ａ〜３ｄについて説明する。支持部材３ａ〜３ｄは、細い棒状のステンレスから形成し（強度及び耐久性を考慮して）、平面視において円弧状となるよう形成する（図７）。具体的には、支持部材３ａ〜３ｄの曲率を平面視における環状体２００（図１）の曲率と一致させるようにする。
【００４４】
また、支持部材３ａ〜３ｄは、一対の側枠２ａ、２ｂ間に架設することで一対の側枠２ａ、２ｂを支持する。具体的には、まず、一対の側枠２ａ、２ｂを平面視略ハ字状に置き（このときの下端部４ｂと下端部４ｄを直線で結んだ距離（長さ）を概ね５ｃｍ、下端部４ａと下端部４ｃを直線で結んだ距離（長さ）を概ね４．５ｃｍとする）、続いて、支持部材３ａを一対の側枠２ａ、２ｂの下端部４ａと下端部４ｃとの間に、支持部材３ｂを一対の側枠２ａ、２ｂの下端部４ｂと下端部４ｄとの間に、支持部材３ｃを一対の側枠２ａ、２ｂの肩部５ａと肩部５ｃとの間に、支持部材３ｄを一対の側枠２ａ、２ｂの肩部５ｂと肩部５ｄとの間に架設するようにする（図７）。このように、止め具３００は、一対の側枠２ａ、２ｂと支持部材３ａ〜３ｄとにより骨組状にて構成される。
【００４５】
次に、図９乃至図１３を用いて、本実施例に係る屋外用ゴミ収容袋の開口維持具１００の使用方法について説明する。
【００４６】
図９は、本実施例に係る屋外用ゴミ収容袋の開口維持具１００の環状体２００をゴミ収容袋４００の口部周縁４１にセットした斜視図であり、図１０は、本実施例に係る屋外用ゴミ収容袋の開口維持具１００の環状体２００を留め具３００によりゴミ収容袋４００の口部周縁４１に係止した平面図である。図１１は、本実施例に係る屋外用ゴミ収容袋の開口維持具１００がセットされたゴミ収容袋４００を作業者５００がしゃがみこんだ状態で地面に引きずりながら移動している状態を表す斜視図であり、図１２は、ゴミ収容袋４００の胴体部分４２に捻れ現象が生じている状態を表す斜視図である。また、図１３は、作業者５００がゴミ収容袋４００の胴体部分４２に生じた捻れ現象を解消している状態を表す斜視図である。
【００４７】
まず、環状体２００をゴミ収容袋４００の口部周縁４１にセットする。具体的には、図９に示すように、ゴミ収容袋４００の口部周縁４１を環状体２００に巻きつけるようにする。このとき、環状体２００の外径は、ゴミ収容袋の口部の外径よりも１ｃｍ程度短く形成されているため、ゴミ収容袋４００の口部周縁４１は、環状体２００の内側又は外側のいずれからでも環状体２００に巻きつけ可能である（図９では、環状体２００の内側から、ゴミ収容袋４００の口部周縁４１を環状体２００に巻きつけようとしている）。
【００４８】
次に、環状体２００とゴミ収容袋４００の口部周縁４１を留め具３００にて係止する。具体的には、ゴミ収容袋４００の口部周縁４１は、環状体２００に巻きつけられていることから、留め具３００を上から環状体２００に押し込むことで、環状体２００とゴミ収容袋４００の口部周縁４１を係止することができる（図１０）。なお、この際、留め具３００で環状体２００に設けられる孔１ａ〜１ｄを塞ぐことのないようにする（留め具３００を押し込む位置を環状体２００に孔１ａ〜１ｄが設けられていない位置とすればよい。）。孔１ａ〜１ｄは、後述のとおり、防虫剤を充填し揮発させる必要があるからである。また、防虫効果を必要とせず、防虫剤の無駄な揮発を止めようとする場合には、留め具３００にて孔１ａ〜１ｄを塞ぐように係止するとよい。
【００４９】
このとき、留め具３００の形状は、一対の側枠２ａ、２ｂが環状体２００の断面視円形（図２）の曲率と一致する曲率からなる略Ｃ字状に形成され、支持部材３ａ〜３ｄが平面視における環状体２００（図１）の曲率と一致する曲率からなる円弧状にて形成されていることから、留め具３００は、環状体２００の形状に合わせてスムーズに押し込むことができる。
【００５０】
また、一対の側枠２ａ、２ｂは、細い棒状のステンレスにて形成されるところ、その横幅（下端部４ａから下端部４ｂの長さ）を概ね１．７ｃｍとすることから（環状体２００の断面視における円形の外径よりやや小さい）、留め具３００を環状体２００に押し込む際には、留め具３００はやや広がりを見せるものの、留め具３００を環状体２００に押し込んだ後は、その復元力により、環状体２００を締め付ける格好となる。よって、環状体２００とゴミ収容袋４００の口部周縁４１は、留め具３００により強固に係止されることになる。
【００５１】
さらに、一対の側枠２ａ、２ｂの縦幅（点１Ａから点１Ｂの長さ）は概ね１．３ｃｍとなっており、環状体２００の断面視における円形（図２）の外径の約２／３に形成されていることから、少ない力で留め具３００を環状体２００に押し込むことができる（逆に、留め具３００を環状体２００から取り外すときも少ない力で取り外すことができる）。また、作業の途中で留め具３００が環状体２００から外れることもない。
【００５２】
環状体２００とゴミ収容袋４００の口部周縁４１を留め具３００にて係止した後は、作業者５００は、環状体２００の下端部２１付近を保持することで、ゴミ収容袋４００をしゃがみこんだ状態で地面に引きずりながら移動することができる（図１１）。このとき、ゴミ収容袋４００の口部４０は、作業者５００の進行方向へ向けて（図１１の矢印方向）、斜め上方向を向くことになるが、ゴミ収容袋４００の口部周縁４１と環状体２００は留め具３００にて係止されていることから、ゴミ収容袋４００の口部４０が閉じられることはなく、ゴミ収容袋４００の口部４０は上向きに開口状態で維持されるため、作業者５００は、収集した草や落ち葉等のゴミを容易にゴミ収容袋に投入できる。また、ゴミ収容袋４００の口部４０は開口状態に維持されているため、ゴミ収容袋４００に風力等の力が加えられた場合でも、ゴミ収容袋４００の口部４０が閉じられることはなく、次回の草取り等作業のときまで、ゴミ収容袋の中に収容した草をより確実に乾燥させることができる。
【００５３】
草取り等作業の際、作業者５００が蚊等の害虫の脅威から身を守りたい場合には、環状体２００の外周面及び内周面のそれぞれに設けられる２つの孔１ａ〜１ｄから防虫剤を充填する。環状体２００は中空に形成されているため、充填された防虫剤は環状体２００内部に充満し、時間の経過とともに孔１ａ〜１ｄから揮発する。これにより、作業者５００の周囲には蚊等の害虫が寄り付くことがなくなるため、作業者５００は、蚊等の害虫の脅威から身を守ることができる。なお、この際、防虫剤には例えばピレスロイド系を用いるとよい。防虫の必要がなく、防虫剤の無駄な揮発を止めようとする場合には、留め具３００にて孔１ａ〜１ｄを塞ぐように係止すればよい。
【００５４】
環状体２００とゴミ収容袋４００の口部周縁４１を留め具３００にて係止した後、作業者５００がゴミ収容袋４００をしゃがみこんだ状態で地面に引きずりながら左右に方向転換する際、作業者５００が保持する環状体２００の下端部２１付近を支点にして、ゴミ収容袋４００の胴体部分４２に捻れ現象が生じることがある（図１２）。この捻れ現象を解消するには、作業者５００は、ゴミ収容袋４００の胴体部分４２に生じた捻れ方向（図１２の矢印方向）と同方向（図１３の矢印方向）に環状体２００をハンドル操作のように回転させる。これにより、該捻れ現象は解消されることになる。
【００５５】
このように構成される本実施例に係る屋外用ゴミ収容袋の開口維持具によれば、作業者５００がゴミ収容袋４００をしゃがみこんだ状態で地面に引きずりながら移動しても、ゴミ収容袋４００の口部４０は上向きに開口状態で維持されることから、作業者５００は、収集した草や落ち葉等のゴミをゴミ収容袋に容易に投入することができる。また、本発明では、ゴミ収容袋４００に風力等の力が加えられた場合でも、ゴミ収容袋４００の口部４０が閉じられることはないことから、草取り等作業において収集した草をゴミ収容袋４００の中で十分に乾燥させることができる（草の腐食を防止することができ、ゴミ収容袋４００の中に収容した草を軽量化することができる）。
【００５６】
また、本発明では、ゴミ収容袋４００の胴体部分４２に捻れ現象が生じてしまった場合でも、作業者５００は、ゴミ収容袋４００の胴体部分４２に生じた捻れ方向（図１２の矢印方向）と同方向（図１３の矢印方向）に環状体２００をハンドル操作のように回転させることで、容易に該捻れ現象を解消させることができる。
【００５７】
さらに、本発明では、上述のとおり、環状体２００が中空であって、留め具３００が骨組状にて構成されることから、作業者５００は、より少ない労力でゴミ収容袋４００をしゃがみこんだ状態で地面に引きずりながら移動できるとともに、上述のゴミ収容袋４００の胴体部分４２に生じた捻れ現象を簡易迅速に解消することができる。
【００５８】
加えて、夏場の炎天下の中で、作業者５００が草取り等作業を行う場合又は収容した草を乾燥させるべく、ゴミ収容袋４００を屋外に置いていた場合、中空に形成されている環状体２００は、気温の上昇に伴い、内部の空気圧が上昇し、環状体２００自体が変形または破損するおそれがあるが、環状体２００には、外周面及び内周面にそれぞれ２つの孔１ａ〜１ｄ（計４個の孔）が設けられていることから、上昇した環状体２００内部の圧力を孔１ａ〜１ｄを通じて外部に逃がすことができるため、このような心配もない。
【００５９】
そして、本発明では、環状体２００の中空部に防虫剤を充填することが可能であることから、草取り等作業の際、作業者５００を蚊等の害虫の脅威から守ることができる。
【００６０】
最後に、夏場の炎天下の中では、ステンレスより形成される留め具３００には（一対の側枠２ａ、２ｂと支持部材３ａ〜３ｄはステンレスより形成される）、気温の上昇から多くの熱が蓄えられ、作業者５００がこれに触れることで火傷を負う危険性があるが、上述のとおり、留め具３００は骨組状にて構成されることから、作業者５００が草取り等作業中に留め具３００に接触する面積は小さい。よって、本発明では、作業者５００が留め具３００に接触することで火傷を負う危険性を減少させることができる。
【００６１】
なお、本実施例では、環状体２００の外径をゴミ収容袋４００の口部４０の外径よりも１ｃｍ程度短く形成しているが、環状体２００の外径をゴミ収容袋４００の口部４０の外径と概ね同じ長さに形成してもよい。具体的には、例えば、容量２０〜３０リットルのゴミ収容袋（横４５ｃｍ〜５５ｃｍ、縦６０ｃｍ〜７５ｃｍ）の場合は、環状体２００の外径を概ね２８ｃｍ〜３５ｃｍ、容量７０リットルのゴミ収容袋（横８０ｃｍ、縦９０ｃｍ）の場合は、環状体２００の外径を概ね５０ｃｍとすることができる。また、ゴミ収容袋４００の口部４０をコンパクトにして開口状態を維持したいのであれば、環状体２００の外径をゴミ収容袋４００の口部４０の外径よりも１ｃｍ以上短く形成することもできる。具体的には、例えば、容量４５リットルのゴミ収容袋の場合、環状体２００の外径を概ね３９ｃｍ〜３５ｃｍとすることができる。
【００６２】
また、本実施例では、環状体２００の断面視における形状を円形としているが、これを角状のものに形成してもよい（例えば、四角形や六角形、八角形等）。この場合、留め具３００の形状（一対の側枠２ａ、２ｂの側面視における形状及び留め具３００の平面視における形状）も環状体２００の形状に合わせて形成することは勿論のことである（環状体２００とゴミ収容袋４００の口部周縁４１を留め具３００にて係止する際、留め具３００を上から環状体２００に押し込む必要があるため）。
【００６３】
さらに、本実施例では、環状体２００の断面視における形状を円形とし、該円形の外径を概ね２ｃｍとしているが、より防虫効果を持たせるために、該円形の外径を２ｃｍ以上のものとしてもよい（例えば３ｃｍにする）。このとき、留め具３００の形状（一対の側枠２ａ、２ｂの横幅（下端部４ａから下端部４ｂの長さ））を該円形の外径よりもやや小さく（例えば概ね２．６ｃｍ）することは勿論のことである（環状体２００とゴミ収容袋４００の口部周縁４１を留め具３００により強固に係止するためには、留め具３００を環状体２００に押し込んだ後、その復元力により、環状体２００を締め付ける格好とする必要があるため）。他方、防虫効果を重視しないのであれば、環状体２００の断面視における該円形の外径を２ｃｍ以下とすることもできる。その場合、上記同様、留め具３００の形状（一対の側枠２ａ、２ｂの横幅（下端部４ａから下端部４ｂの長さ））を該円形の外径よりも、やや小さく形成することは勿論である。
【００６４】
加えて、本実施例では、環状体２００の内部を中空としているが、環状体２００の強度及び軽量化の双方を実現したいのであれば、環状体２００の一部を中空としてもよい。なお、この場合、環状体２００の外周面及び内周面に設けられる孔１ａ〜１ｄは、環状体２００が中空に形成されている部位に設ける必要がある（気温の上昇によって、環状体２００の中空部の空気圧が上昇した場合に、孔１ａ〜１ｄより該空気圧を外部に逃がす必要があるため。また、孔１ａ〜１ｄより、防虫剤を充填し揮発させる必要があるため）。
【００６５】
また、本実施例では、環状体２００の外周面及び内周面にそれぞれ直径を概ね１ｃｍとする２つの孔１ａ〜１ｄ（計４個の孔）が設けられているが、（１）上昇した環状体２００の中空部の空気圧を外部に逃がすことができ、（２）防虫剤を充填し揮発させることができるのであれば、孔の位置、数及び孔の直径はこれらに限られるものではない。例えば、これらの孔を環状体２００の外周面又は内周面のいずれか一方のみに設けてもよく、環状体２００の外周面及び内周面にそれぞれ４つの孔を設けておくことでもよい（計８個の孔）。また、このときの該孔を、例えば、長径３ｃｍ、短径１ｃｍの楕円形状又は長方形状に形成してもよい。さらに、留め具３００にて該孔の一部を塞ぐように係止すれば、防虫剤の揮発量を調節することもできる。
【００６６】
なお、本実施例では、環状体２００をプラスチックにて形成するものとしているが、他の素材、例えば、ゴム素材にて形成してもよい。また、環状体２００の強度面を追求するのであれば、環状体２００をステンレスにて形成してもよい。この場合、環状体２００がプラスチックやゴム素材で形成される場合に比べ、作業者５００が火傷を負う危険性は高まるものの（この場合、夏場の炎天下の中では、気温の上昇から環状体２００には多くの熱が蓄えられるため）、夏場の炎天下以外の状況で本実施例に係る屋外用ゴミ収容袋の開口維持具１００を使用するのであれば、このような心配はない。
【００６７】
そして、本実施例では、留め具３００の一対の側枠２ａ、２ｂの縦幅（点１Ａから点１Ｂの長さ）を概ね１．３ｃｍとしているが（環状体２００の断面視における円形の外径の約２／３）、この長さを、例えば概ね１ｃｍ以上２ｃｍ未満（環状体２００の断面視における円形の外径未満）に形成してもよい。
【００６８】
また、本実施例では、留め具３００の側枠２ａ、２ｂ及び支持部材３ａ〜３ｄを細い棒状のものから形成しているが、留め具自体を骨組状にて構成できるのであれば、例えば、側枠２ａ、２ｂ及び／又は支持部材３ａ〜３ｄを細い板状のもので形成してもよい（例えば、０．５ｃｍ幅の板状打ち抜きとする）。また、留め具３００は、一対の側枠２ａ、２ｂを平面視略ハ字状に置いたとき、下端部４ｂと下端部４ｄを直線で結んだ距離（長さ）を概ね５ｃｍ、下端部４ａと下端部４ｃを直線で結んだ距離（長さ）を概ね４．５ｃｍとしているが、より少ない留め具３００にて、環状体２００とゴミ収容袋４００の口部周縁４１とを係止したいのであれば、例えば、一対の側枠２ａ、２ｂの下端部４ｂと下端部４ｄを直線で結んだ距離（長さ）を概ね１５ｃｍ、下端部４ａと下端部４ｃを直線で結んだ距離（長さ）を概ね１３ｃｍとしてもよい（留め具３００の横幅が長くなるため、少ない留め具３００により環状体２００とゴミ収容袋４００の口部周縁４１とを係止できる）。
【００６９】
さらに、本実施例の留め具３００では、図７に示すとおり、４本の支持部材３ａ〜３ｄが一対の側枠２ａ、２ｂ間に架設されているが、一対の側枠２ａ、２ｂを支持し、環状体２００とゴミ収容袋４００の口部周縁４１とを係止できるのであれば、支部部材の構成はこれらに限られるものではない。例えば、支持部材３ａ、３ｂ間に側枠２ａ、２ｂと同型の支持部材（１５ａ、１５ｂ）を数本架設してもよいし（図１７）、側枠２ａ、２ｂと同型の支持部材（１６ａ、１６ｂ）を支持部材３ｃ、３ｄに加えて架設することで、留め具３００を網目状にしてもよい（図１８）。また、図１４に示すように、支持部材１１ａを一対の側枠１０ａ、１０ｂの下端部１２ａと下端部１２ｃとの間に、支持部材１１ｂを一対の側枠１０ａ、１０ｂの下端部１２ｂと下端部１２ｄとの間に架設し、矩形状からなる支持部材１３を一対の側枠１０ａ、１０ｂの肩部１４ａ、１４ｃと肩部１４ｂ、１４ｄの間に架設するよう構成してもよい。また、留め具３００を図１５に示すように、一対の側枠２ａ、２ｂの下端部間に（下端部４ａと４ｃ、下端部４ｂと４ｄの間）、摘み部６ａ、６ｂを形成してもよい。これにより、環状体２００からの止め具３００の取り外しがより簡便となる。なお、本実施例では、留め具３００をステンレスより形成しているが（一対の側枠２ａ、２ｂと支持部材３ａ〜３ｄはステンレスより形成される）、より軽量化の点に主眼を置くならば、留め具３００（一対の側枠２ａ、２ｂと支持部材３ａ〜３ｄ）を例えばプラスチックで形成してもよい。
【００７０】
最後に、本実施例では、留め具３００を一対の側枠２ａ、２ｂと支持部材３ａ〜３ｄとにより骨組状にて構成しているが、留め具３００を図１６に示すように、下端部３０ａ、３０ｃから下端部３０ｂ、３０ｄにかけて、止め具３００の長手方向全長を長辺とする湾曲した面（湾曲部７）を連設した態様のものとしてもよい。これにより、作業者５００は、留め具３００が骨組状にて構成される場合に比べて、留め具３００に接触する面積が大きくなることから、夏場の炎天下の中では、作業者５００は留め具３００に接触することで火傷を負う危険性が高まる（留め具３００がステンレスで形成される場合）。そこで、この場合には留め具３００をプラスチック又はゴム素材等、ステンレスに比べ熱伝導率の低い素材を採用することで、この問題を回避することができる。なお、この場合における留め具３００をステンレスで形成したとしても、夏場の炎天下以外の状況で本実施例に係る屋外用ゴミ収容袋の開口維持具１００を使用するのであれば、このような心配はない。また、この場合における留め具３００に摘み部８ａ、８ｂを設けてもよい（図１６）。これにより、環状体２００からの留め具３００の取り外しがより簡便となる。
【００７１】
このように、本実施例では、本発明の趣旨を逸脱しない範囲で種々の変更が可能であることはいうまでもない。
【符号の説明】
【００７２】
１ａ  孔
１ｂ  孔
１ｃ  孔
１ｄ  孔
２ａ  側枠
２ｂ  側枠
３ａ  支持部材
３ｂ  支持部材
３ｃ  支持部材
３ｄ  支持部材
４ａ  下端部
４ｂ  下端部
４ｃ  下端部
４ｄ  下端部
５ａ  肩部
５ｂ  肩部
５ｃ  肩部
５ｄ  肩部
６ａ  摘み部
６ｂ  摘み部
７    湾曲部
８ａ  摘み部
８ｂ  摘み部
２１  下端部
４０  口部
４１  口部周縁
４２  胴体部分
１００  屋外用ゴミ収容袋の開口維持具
２００  環状体
３００  留め具
４００  ゴミ収容袋
５００  作業者
【要約】      （修正有）【課題】庭先等の屋外での清掃作業（草取り等作業）の際、作業者がゴミ収容袋をしゃがみこんだ状態で地面に引きずりながら移動した場合でも、ゴミ収容袋の口部を開口状態に維持するとともに、作業者を蚊等の害虫の脅威から守る等、安全かつ効率的に草取り等作業を行えるようにする。【解決手段】屋外用ゴミ収容袋の開口維持具１００を、環状体２００と留め具３００とから構成し、環状体２００には、外周面及び内周面にそれぞれ２つの孔１ａ〜１ｄを設け、留め具３００には、一対の側枠２ａ、２ｂと支持部材３ａ〜３ｄとを設ける。【選択図】図９【図１】
0005536949.tif 000002
【図２】
0005536949.tif 000003
【図３】
0005536949.tif 000004
【図４】
0005536949.tif 000005
【図５】
0005536949.tif 000006
【図６】
0005536949.tif 000007
【図７】
0005536949.tif 000008
【図８】
0005536949.tif 000009
【図９】
0005536949.tif 000010
【図１０】
0005536949.tif 000011
【図１１】
0005536949.tif 000012
【図１２】
0005536949.tif 000013
【図１３】
0005536949.tif 000014
【図１４】
0005536949.tif 000015
【図１５】
0005536949.tif 000016
【図１６】
0005536949.tif 000017
【図１７】
0005536949.tif 000018
【図１８】
0005536949.tif 000019